(57)【要約】      （修正有）【課題】液圧式ジャッキにおけるストップギャップの調整及び制御を提供する。【解決手段】ジャッキ部材上の第１の調整可能ストップ２３０は、上り勾配ストップギャップ２３９を選択的に調整し、支持要素２１０上の第２の調整可能ストップ２５０は、下り勾配ストップギャップ２５９を選択的に調整する。第１の調整可能ストップ及び支持要素上のストップ面２３５は、上り勾配ストップギャップを定めることができ、第２の調整可能ストップ及び第１の調整可能ストップ上のストップ面は、下り勾配ストップギャップを定めることができる。所望の調整を行うのに必要なストップの転回数は、ストップを装着するのに使用されるネジのピッチ、リード、及び／又は条数を用いて決定することができる。【選択図】図４
2014081076.tif 000002
【特許請求の範囲】
【請求項１】
ジャッキを調整するための装置であって、
ジャッキの第１のジャッキ部材上に装着可能であり且つ第１のストップ面を含む第１の調整可能ストップを備え、
前記第１のジャッキ部材が長手方向軸線を有し、前記第１の調整可能ストップが、前記長手方向軸線に沿って前記第１の調整可能ストップ又は前記第１のジャッキ部材の少なくとも一方に作用する力に応答して前記長手方向軸線に沿った前記第１のジャッキ部材に対する前記第１のストップ面の移動を阻止する第１の調整機構を含み、前記第１の調整機構がまた、前記長手方向軸線に沿った前記第１のジャッキ部材に対する前記第１のストップ面の位置を選択的に調整し、
前記装置が更に、
支持要素と、
前記支持要素上に装着され、第２のストップ面を含む第２の調整可能ストップと、
を備え、
前記第２の調整可能ストップが、前記長手方向軸線に沿って前記第２の調整可能ストップ又は前記支持要素の少なくとも一方に作用する軸方向の力に応答して前記長手方向軸線に沿った前記支持要素に対する前記第２のストップ面の移動を阻止する第２の調整機構を含み、前記第２の調整機構がまた、前記長手方向軸線に沿った前記第１のストップ面又は前記支持要素の少なくとも一方に対する前記第２のストップ面の位置を選択的に調整する、装置。
【請求項２】
前記第１の調整機構が、前記第１のジャッキ部材上の対応するそれぞれのネジと嵌合する、前記第１の調整可能ストップ上の少なくとも１つのネジを含み、前記ネジのピッチ、リード、又は条数のうちの少なくとも１つが、軸方向の力に応答して前記第１のストップ面と前記第１のジャッキ部材との間の移動を阻止するために選択され、前記第１の調整可能ストップの回転によって前記第１のジャッキ部材に対する前記第１のストップ面の軸方向位置が調整されるようになる、請求項１に記載の装置。
【請求項３】
前記第１のストップ面の所望の位置に対応する回転量が、前記第１の調整可能ストップ及び前記第１のジャッキ部材上のネジのピッチ、リード、又は条数のうちの少なくとも１つに基づいて決定される、請求項２に記載の装置。
【請求項４】
前記第２の調整機構が、前記支持要素上の対応するそれぞれのネジと嵌合する、前記第２の調整可能ストップ上の少なくとも１つのネジを含み、前記ネジのピッチ、リード、又は条数のうちの少なくとも１つが、軸方向の力に応答して前記長手方向軸線に沿った前記第２のストップ面と前記支持要素との間の移動を阻止するために選択され、前記第２の調整可能ストップの回転によって前記支持要素に対する前記第２のストップ面の軸方向位置が調整されるようになる、請求項１に記載の装置。
【請求項５】
前記第２のストップ面の所望の位置に対応する回転量が、前記第２の調整可能ストップ及び前記支持要素上のネジのピッチ、リード、又は条数のうちの少なくとも１つに基づいて決定される、請求項１に記載の装置。
【請求項６】
前記第１のジャッキ部材が、液圧式ジャッキの内側シリンダを含み、前記第１の調整可能ストップが、上り勾配ストップである、請求項１に記載の装置。
【請求項７】
前記支持要素が、機械式ストップ又は液圧式ジャッキの内側シリンダのちの１つであり、前記第２の調整可能ストップが、下り勾配ストップである、請求項１に記載の装置。
【請求項８】
ジャッキのストップギャップを調整するための装置であって、
ジャッキの第１のジャッキ部材上に選択的に装着され、第１のストップ面を含む第１の調整可能ストップと、
前記第１のストップ面に対向する第２のストップ面を含み、前記第１のストップ面と前記第２のストップ面との間の距離が第１のストップギャップである支持要素と、
を備え、
前記第１の調整可能ストップが更に、前記第１のジャッキ部材の第２の調整機構と相互作用して、前記第１のストップギャップを選択的に調整しながら、前記第１のジャッキ部材の長手方向軸線に沿って前記第１の調整可能ストップ及び前記第１のジャッキ部材の少なくとも一方に作用する軸方向の力に応答した前記第１のストップギャップの変化を阻止する第１の調整機構を含み、
前記装置が更に、
前記支持要素上に選択的に装着され、第３のストップ面を含む第２の調整可能ストップと、
前記第１の調整可能ストップ上で前記第３のストップ面に対向する第４のストップ面と、
を備え、
前記第３のストップ面と前記第４のストップ面との間の距離が第２のストップギャップであり、前記第２の調整可能ストップが、第２の部材の第４の調整機構と相互作用して、前記第２のストップギャップを選択的に調整しながら、前記長手方向軸線に沿って前記第２の調整可能ストップ及び前記支持要素の少なくとも一方に作用する軸方向の力に応答した前記第２のストップギャップの変化を阻止する第３の調整機構を含む、装置。
【請求項９】
前記第１の調整機構が、少なくとも１つの第１のネジを含み、前記第２の調整機構が、少なくとも１つの対応する第２のネジを含み、各ネジのピッチ、リード、又は条数のうちの少なくとも１つが、軸方向の力に応答した前記長手方向軸線に沿った前記第１のストップ面と前記第２のストップ面との間の相対移動を阻止することにより前記第１のストップギャップの変化を阻止し、且つ第１のアジャスタの回転に応答した前記長手方向軸線に沿った相対移動を可能にする、請求項８に記載の装置。
【請求項１０】
前記第１の調整可能ストップが、前記少なくとも１つの第１のネジを保持する内面を備えたボアを有する内側ハウジングを含む、請求項９に記載の装置。
【請求項１１】
前記第３の調整機構が、前記第２の調整可能ストップ上に少なくとも１つの第３のネジを含み、前記第４の調整機構が、前記支持要素上に少なくとも１つの対応する第４のネジを含み、各ネジのピッチ、リード、又は条数のうちの少なくとも１つが、前記長手方向軸線に沿った前記第３のストップ面と前記第４のストップ面との間の相対移動を阻止することにより軸方向の力に応答した前記第２のストップギャップの変化を阻止し、且つ前記第２の調整可能ストップの回転に応答した前記長手方向軸線に沿った相対移動を可能にする、請求項８に記載の装置。
【請求項１２】
前記第２の調整可能ストップが、前記支持要素におけるボアに装着される外側ブッシュを含み、前記外側ブッシュの外面が少なくとも１つの第３のネジを含み、前記支持要素のボアの内面が少なくとも１つの第４のネジを含む、請求項１１に記載の装置。
【請求項１３】
前記第１のジャッキ部材が、液圧式ジャッキの内側シリンダを含み、前記支持要素が、前記液圧式ジャッキの機械的ストップ又は前記液圧式ジャッキの外側シリンダの一方を含み、前記第１の調整可能ストップ及び前記第２の調整可能ストップが各々、前記内側シリンダの長手方向軸線と同軸の長手方向軸線を有する、請求項８に記載の装置。
【請求項１４】
前記第１の調整可能ストップが内側ハウジングを含み、前記第２の調整可能ストップが外側ブッシュを含み、前記内側ハウジングが前記外側ブッシュにおけるボアを通って延びており、前記第１の調整機構が、前記内側ハウジング内のボアの内面上に少なくとも１つの第１のネジを含み、前記第２の調整機構が、前記第１のジャッキ部材の外面上に少なくとも１つの対応する第２のネジを含み、前記各第１及び第２のネジのピッチ、リード、又は条数のうちの少なくとも１つが、軸方向の力に応答した前記内側ハウジングの第１のストップ面と前記第１のジャッキ部材との間の相対移動を阻止し、且つ前記内側ハウジングの回転に応答した相対移動を可能にし、前記第３の調整機構が、前記外側ブッシュの外面上の少なくとも１つの第３のネジを含み、前記第４の調整機構が、前記支持要素におけるボアの内面上に少なくとも１つの対応する第４のネジを含み、前記各第３及び第４のネジのピッチ、リード、又は条数のうちの少なくとも１つが、軸方向の力に応答した前記第４のストップ面と前記支持要素との間の相対移動を阻止し、且つ前記外側ブッシュの回転に応答した相対移動を可能にする、請求項１３に記載の装置。
【請求項１５】
前記第１のストップギャップが上り勾配ストップギャップであり、前記第２のストップギャップが下り勾配ストップギャップである、請求項８に記載の装置。
【請求項１６】
第１のジャッキ部材上に装着された第１の調整可能ストップと、支持要素と、前記支持要素に装着された第２の調整可能ストップと、前記第１の調整可能ストップ及び前記支持要素それぞれ上の対向する第１及び第２のストップ面と、前記第２の調整可能ストップ及び前記第１の調整可能ストップそれぞれ上の対向する第３及び第４のストップ面と、を備えた、ジャッキを調整する装置において、前記ジャッキを調整する方法が、
前記第１の調整可能ストップを用いて前記第１のストップ面を前記第２のストップ面と係合状態にするステップと、
前記第１の調整可能ストップを用いて前記第１のストップ面を第１の所望の移動距離だけ前記第２のストップ面から離れて移動させるステップと、
前記第２の調整可能ストップを用いて前記第３のストップ面を前記第４のストップ面と係合状態にするステップと、
前記第２の調整可能ストップを用いて前記第３のストップ面を第２の所望の移動距離だけ前記第４のストップ面から離れて移動させるステップと、
を含む、方法。
【請求項１７】
前記第１のストップ面を前記第２のストップ面と係合状態にするステップが、前記第１の調整可能ストップを第１の方向で回転させるステップを含む、請求項１６に記載の方法。
【請求項１８】
前記第１の調整可能ストップ及び前記第１のジャッキ部材それぞれ上の対応する第１及び第２のネジが、前記第１のジャッキ部材に作用する荷重に応答して前記第１及び第２のストップ面間の相対移動を阻止するよう選択されたそれぞれのピッチ、それぞれのリード、及びそれぞれの条数のうちの少なくとも１つを含み、
前記第１のストップ面を第１の所望の移動距離だけ前記第２のストップ面から離れて移動させるステップが、
前記第１及び第２のネジのそれぞれのピッチ、それぞれのリード、及びそれぞれの条数のうちの少なくとも１つに基づいて前記第１の所望の量を達成するための前記第１及び第２のネジ間の第１の相対回転量を決定するステップと、
前記第１の調整可能ストップを前記第１の相対回転量だけ第２の方向で回転させるステップと、
を含む、請求項１７に記載の方法。
【請求項１９】
前記第３のストップ面を前記第４のストップ面と係合状態にするステップが、前記第２の調整可能ストップを第３の方向で回転させるステップを含む、請求項１６に記載の方法。
【請求項２０】
前記第２の調整可能ストップ及び前記支持要素それぞれ上の対応する第３及び第４のネジが、前記第１のジャッキ部材に作用する荷重に応答して前記第３及び第４のストップ面間の相対移動を阻止するよう選択されたそれぞれのピッチ、それぞれのリード、及びそれぞれの条数のうちの少なくとも１つを含み、
前記第３のストップ面を第２の所望の移動距離だけ前記第４のストップ面から離れて移動させるステップが、
前記第１及び第２のネジのそれぞれのピッチ、それぞれのリード、及びそれぞれの条数のうちの少なくとも１つに基づいて、前記第２の所望量を達成するために前記第３及び第４のネジ間の第２の相対回転量を決定するステップと、
前記第２の調整可能ストップを前記第２の相対回転量だけ第４の方向で回転させるステップと、
を含む、請求項１９に記載の方法。
【発明の詳細な説明】
【技術分野】
【０００１】
本開示は、全体的に、ジャッキの調整及び制御に関し、より詳細には、液圧式ジャッキにおけるストップギャップの調整及び制御に関する。
【背景技術】
【０００２】
二重壁ガスタービンケーシング組立体の組み付け及び／又は分解において、組立体の位置を移動させるためにローラジャッキを利用することができる。例えば、ガスタービンの内部にアクセスするために、ケーシング組立体の上側半部分を取り外した後、下側半部分をローラジャッキ上に支持することができる。典型的な二重壁ケーシング組立体は極めて重量があるので、利用されるローラジャッキは、通常は液圧式ジャッキであり、比較的小型で取り扱いが容易であるにも関わらず、極めて大きな荷重を扱うことができる。しかしながら、液圧式ジャッキの位置決めの微調整を行うのが困難な場合があり、使用されるガスタービンの組立クリアランスが緊密な部品の位置合わせが不適切となり、及び／又は損傷をもたらす可能性がある。例えば、液圧式ジャッキの延伸の際のオーバーシュートにより、タービンブレード先端にケーシングが衝突する恐れがある。加えて、液圧式ジャッキは、ある時間期間の間延伸したままの場合には荷重を受けて後退する傾向があり、その結果、ユーザがケーシング組立体の別の部分を調整するためジャッキを離れる場合には、再度位置決めが必要となる可能性がある。
【先行技術文献】
【特許文献】
【０００３】
【特許文献１】米国特許第４，８３８，３９３号明細書
【発明の概要】
【０００４】
本明細書で開示される本発明の実施形態は、ジャッキの第１のジャッキ部材上に装着可能であり且つ第１のストップ面を含む第１の調整可能ストップを備えたジャッキストップを調整する装置の形態をとることができる。第１のジャッキ部材は、長手方向軸線を有し、第１の調整可能ストップは、長手方向軸線に沿って第１の調整可能ストップ又は第１のジャッキ部材の少なくとも一方に作用する力に応答して長手方向軸線に沿った第１のジャッキ部材に対する第１のストップ面の移動を阻止する第１の調整機構を含む。第１の調整機構はまた、第１のジャッキ部材に対する第１のストップ面の位置の調整を選択的に生じさせる。本装置はまた、第２の調整可能ストップを装着できる支持要素を含み、該第２の調整可能ストップは第２のストップ面を含む。第２の調整可能ストップはまた、長手方向軸線に沿って第２の調整可能ストップ又は支持要素の少なくとも一方に作用する力に応答して長手方向軸線に沿った支持要素に対する第２のストップ面の移動を阻止する第２の調整機構を含むことができる。第２の調整機構はまた、第１のストップ面又は支持要素の少なくとも一方に対する第２のストップ面の位置の調整を選択的に生じさせる。
【０００５】
本発明の実施形態はまた、ジャッキのストップギャップを調整する装置の形態をとることができ、該装置が、ジャッキの第１のジャッキ部材上に選択的に装着される第１の調整可能ストップを含み、該第１の調整可能ストップが第１のストップ面を含む。支持要素は、第１のストップ面に対向する第２のストップ面を含み、第１のストップ面と第２のストップ面との間の距離が第１のストップギャップである。第１の調整可能ストップが更に、第１のジャッキ部材の第２の調整機構と相互作用して、第１のストップギャップを選択的に調整しながら、第１のジャッキ部材の長手方向軸線に沿って第１の調整可能ストップ及び第１のジャッキ部材の少なくとも一方に作用する軸方向の力に応答した第１のストップギャップの変化を阻止する第１の調整機構を含むことができる。本装置はまた、支持要素上に選択的に装着され、第３のストップ面を含む第２の調整可能ストップを含むことができる。第３のストップ面に対向する第４のストップ面を第１の調整可能ストップ上に含めることができ、第３のストップ面と第４のストップ面との間の距離が第２のストップギャップである。第２の調整可能ストップが、第２の部材の第４の調整機構と相互作用して、長手方向軸線に沿って第２の調整可能ストップ又は支持要素の少なくとも一方に作用する軸方向の力に応答した第２のストップギャップの変化を阻止する第３の調整機構を含むことができる。第２の調整可能ストップはまた、第２のストップギャップを選択的に調整する。
【０００６】
別の実施形態は、第１のジャッキ部材上に装着された第１の調整可能ストップと、支持要素と、支持要素に装着された第２の調整可能ストップと、第１の調整可能ストップ及び支持要素それぞれ上の対向する第１及び第２のストップ面と、第２の調整可能ストップ及び第１の調整可能ストップそれぞれ上の対向する第３及び第４のストップ面と、を備えた装置を用いてジャッキを調整する方法を含むことができる。本方法は、第１の調整可能ストップを用いて第１のストップ面を第２のストップ面と係合状態にするステップと、第１の調整可能ストップを用いて第１のストップ面を第１の所望の移動距離だけ第２のストップ面から離れて移動させるステップと、を含むことができる。加えて、本方法は、第２の調整可能ストップを用いて第３のストップ面を第４のストップ面と係合状態にするステップと、第２の調整可能ストップを用いて第３のストップ面を第２の所望の移動距離だけ第４のストップ面から離れて移動させるステップと、を含むことができる。
【０００７】
上記の特徴要素及び他の特徴要素は、以下の詳細な説明により例証される。
【０００８】
本発明のこれら及び他の特徴は、本発明の種々の態様を描いた添付図面を参照しながら、本発明の種々の態様の以下の詳細な説明を詳細に検討することによって完全に理解され認識されるであろう。
【図面の簡単な説明】
【０００９】
【図１】本明細書で開示される本発明の実施形態に適用できる従来技術の液圧式ジャッキの概略図。
【図２】図１に示す従来技術の液圧式ジャッキの詳細部２−２の概略図。
【図３】本明細書で開示される本発明の実施形態による、２方向外部アクセス可能な機械的ストップ調整装置を含む、液圧式ジャッキの概略斜視図。
【図４】図３に示し液圧式ジャッキの詳細部４−４の概略断面図。
【図５】本明細書で開示される本発明の実施形態による、ストップギャップ調整方法の概略フロー図。
【発明を実施するための形態】
【００１０】
本発明の図面は縮尺通りではない点に留意されたい。当該図面は、本発明の典型的な態様のみを描くことを意図しており、従って、本発明の範囲を限定するものとみなすべきではない。図面では、同じ参照符号は、複数の図面にわたり同じ要素を示している。
【００１１】
この詳細な説明は、例証として図面を参照しながら、本発明の利点及び特徴と共に例示的な実施形態を説明している。
【００１２】
本明細書で使用される場合、「下り勾配」とは、耐荷重ジャッキ部材の後退に関連する方向及び要素を記述しており、「上り勾配」とは、耐荷重ジャッキ部材の延伸に関連する方向及び要素を記述するものである。従って、「下り勾配ストップ」は、耐荷重ジャッキ部材の後退を制限するストップであり、「上り勾配ストップ」は、耐荷重ジャッキ部材の延伸を制限するストップである。同様に、「下り勾配方向」は、耐荷重部材が後退する方向であり、「上り勾配方向」は、耐荷重部材が延伸する方向である。
【００１３】
本明細書で開示される本発明の実施形態によって提供される改善点を例示するために、典型的な従来技術のジャッキ１００（この場合は液圧式ジャッキ）が、図１並びに図１の詳細部２−２を示した図２に示されている。ジャッキ１００のハウジング１０２は、機械式ストップ１１０及び外側ジャッキシリンダ１１１を装着できるボア１０４を有する調整可能ブロック１０３を含むことができる。内側ジャッキシリンダ１２０の一部は、チャンバ１１３内の流体体積の変化による液圧作動のような作動に応答して機械的ストップ１１０内の軸方向ボア１１２において移動することができる。機械的ストップ１１０は、機械的ストップ１１０と内側シリンダ１２０のフランジ１２４との間の相互作用によって強制される下り勾配ストップ点を超える内側シリンダ１２０の移動が阻止されるように配列される。下り勾配ストップギャップ１２１は、機械的ストップ１１０とフランジ１２４との間の距離であり、ナット１２３により調整することができる。しかしながら、内側シリンダ１２０を上り勾配方向に移動させたときに荷重の正確な位置付けがより困難になる可能性があるので、内側シリンダ１２０には上り勾配ストップは設けられない。
【００１４】
本発明の態様は、２方向外部アクセス可能な機械的ストップ調整装置など、ジャッキ、詳細にはジャッキのストップギャップを調整する装置を提供する。本明細書で開示される本発明の実施形態は、ジャッキの上り勾配ストップギャップ並びに下り勾配ストップギャップの調整を可能にし、ジャッキの移動を高精度で制御できるようにする。本構成の部品に対するネジなどの調整機構は、相対的な軸方向位置の調整を可能にするが、他の場合には相対的軸方向運動を阻止するよう相互作用する。本装置で使用されるネジのピッチ、リード、又は条数のうちの少なくとも１つを用いて、単位距離当たりの転回数など、それぞれのストップギャップにおける所望の変化を達成するための調整可能ストップの回転量を決定して使用し、最大上り勾配ストップギャップ及び／又は最大下り勾配ストップギャップを設定することができる。
【００１５】
図３、並びに図３の詳細部４−４を示す図４を参照すると、本発明の１つの実施形態を含むジャッキ２００の一例が示される。内側シリンダ２２０のような第１のジャッキ部材は、機械的ストップのような支持要素２１０又は外側シリンダ２１１のような第２のジャッキ部材の少なくとも一方によって支持することができ、第１のジャッキ部材が、支持要素２１０及び／又は外側シリンダ２１１に対して長手方向軸線に沿って移動できるようにすることができる。例えば、ジャッキ２００のハウジング２０２は、支持要素２１０を支持し且つ運動に対して拘束することができるボア２０４を含むことができる。実施形態において、支持要素２１０は、第２のジャッキ部材に取り付けることができるが、他の実施形態では、支持要素２１０は、第２のジャッキ部分の一部であってもよい。支持要素２１０及び／又は外側シリンダ２１１は、液圧作動構成（図示せず）に対するような作動に応答した相対的軸方向移動のために内側ジャッキシリンダ２２０を支持することができる軸方向ボア２１２を含むことができる。例えば、内側ジャッキシリンダ２２０の外面は、軸方向ボア２１２の内面と係合して滑動することができる。
【００１６】
内側ハウジング２３０のような第１の調整可能ストップを設け、第１のストップギャップ２３９の調整を可能にすることができ、他方、外側ブッシュ２５０のような第２の調整可能ストップを設けて、第２のストップギャップ２５９の調整を可能にすることができる。第１の調整可能ストップは、第１のジャッキ部材の第２の調整機構と相互作用して、ジャッキに印加される荷重又は作動力のような第１のジャッキ部材の長手方向軸線に沿って印加される力に応答した第１のジャッキ部材と第１の調整可能ストップとの間の相対移動を阻止すると同時に、内側ハウジング２３０の回転のような別の作用に応答した相対位置の調整又は相対移動の誘起を選択的に行うように構成された第１の調整機構を含むことができる。例えば、内側ハウジング２３０は、ネジ付き部分２２２のような内側シリンダ２２０の一部が突出することができる軸方向ボア２３２を有することができる。第１の調整機構は、ボア２３２の内面上に形成された少なくとも１つの雌ネジ２３４を含むことができ、第２の調整機構は、ネジ付き部分２２２上に少なくとも１つの雄ネジを含むことができる。
【００１７】
同様に、第２の調整可能ストップは、支持要素２１０の第４の調整機構と相互作用して、第１のジャッキ部材の長手方向軸線に沿って印加される力に応答した第２の調整可能ストップと支持要素２１０との間の相対移動を阻止すると同時に、外側ブッシュ２５０の回転のような別の作用に応答した相対位置の調整又は相対移動の誘起を選択的に行うように構成された第３の調整機構を含むことができる。例えば、外側ブッシュ２５０は、内側ハウジング２３０を支持することができ及び／又は軸方向に移動できる軸方向ボア２５２を有することができる。１つの実施形態において、内側ハウジング２３０の一部は、軸方向ボア２５２の内面と係合して滑動することができるが、望ましい及び／又は好適とすることができる他の構成を利用してもよい。加えて、外側ブッシュ２５０は、下り勾配ストップフランジ２５６上などで少なくとも１つの雄ネジ２５４の形態で第３の調整機構を保持することができ、雄ネジ２５４は、支持要素の軸方向ボア２１２の雌ネジ部分２１０の形態で第４の調整機構を係合するよう構成されている。
【００１８】
図３及び４に示す実施例において、内側ハウジング２３０は、第１のストップ面２３５を有することができるフランジ２３６又は同様のものを含むことができる。支持要素軸方向ボア２１２のネジ付き部分２１４は、実施形態において、肩部又は上り勾配ストップ２１６を形成できるように、内側ジャッキシリンダが滑動する軸方向ボア２１２の部分よりも大きな内径を有することができ、その少なくとも一部は、上り勾配方向のようなある方向で内側ジャッキシリンダ２３０の移動を制限することができる第１のストップ面２３５とは反対の第２のストップ面として構成することができる。本明細書で使用される場合、「上り勾配方向」とは、内側シリンダ２２０がジャッキ２００の外部に移動するか、又はジャッキ２００から延びる方向を意味する。加えて、フランジ２３６は、外側ブッシュ２５０の下り勾配ストップフランジ２５６を係合し、下り勾配方向のような反対方向の内側ジャッキシリンダ２３０の移動を制限するよう構成することができる。本明細書で使用されるように、「下り勾配方向」とは、内側シリンダがジャッキ２００に向けて移動又は後退する方向を意味する。例えば、下り勾配ストップフランジ２５６は、内側シリンダ２２０の移動を制限するため内側ハウジングフランジ２３６上の対向する第４のストップ面２３７に面する第３のストップ面２５７を含むことができる。従って、内側ジャッキシリンダ２３０は、フランジ２３６が肩部又は上り勾配ストップ２１６を係合する上り勾配ストップ位置と、フランジ２３６が下り勾配ストップフランジ２５６と係合する下り勾配ストップ位置との間でのみ移動することができる。上り勾配ストップ位置において、第１のストップ面２３７は、上り勾配ストップ２１６上の第２のストップ面と係合し、下り勾配ストップ位置では、第３のストップ面２５７が第４のストップ面２３７と係合する。第１及び第２のストップ面間の距離は、上り勾配ストップギャップ２３９であり、第３及び第４のストップ面は、下り勾配ストップギャップ２５９である。フランジ２３６をサイズ調整し、ネジ付き部分２２２上のフランジ２３６の位置を調整し、下り勾配ストップフランジ２５６の位置を調整することによって、最大下り勾配ストップギャップ２５９と同様に最大上り勾配ストップギャップ２３９を微調整することができ、その結果、内側シリンダ２２０が所要以上には延伸又は後退しなくなる。１つ又は複数の雄ネジ２３４及び／又は雌ネジ２５４の少なくともピッチ、リード、及び／又は条数を用いることにより、所望の最大上り勾配ストップギャップ２３９及び／又は最大下り勾配ストップギャップ２５９を達成するための内側ハウジング２３０及び／又は外側ブッシュ２５０の転回数を高精度で決定することができる。
【００１９】
内側ハウジングフランジ２３６及び下り勾配ストップフランジ２５６の調整を可能にするために、幾つかの実施形態は、ジャッキ２００の外部からアクセス可能な内側ハウジング２３０の端部２３８、並びにジャッキ２００の外部からアクセス可能な外側ブッシュ２５０の端部２５８を設けている。例えば、１つ又は両方の端部２３８、２５８は、多角形孔又は外側表断面など、それぞれのブッシュ２３０、２５０を回転させるためのレンチ又は別の工具を使用可能にする特徴要素を含むことができる。
【００２０】
幾つかの実施形態による、ジャッキを調整する方法３００が図５の例示的なフロー図に示されている。幾つかの実施形態において、方法３００は、上記で説明され図３及び４に示すような、第１のジャッキ部材上に装着された第１の調整可能ストップと、支持要素と、支持要素上に装着された第２の調整可能ストップと、第１の調整可能ストップ及び支持要素それぞれ上の対向する第１及び第２のストップ面と、第２の調整可能ストップ及び第１の調整可能ストップそれぞれ上の対向する第３及び第４のストップ面と、を含む装置において実施することができる。ジャッキの調整は、広義には、第１のストップギャップを閉鎖する段階と、第１のストップギャップの最大値を設定する段階と、第２のストップギャップを閉鎖する段階と、第２のストップギャップの最大値を設定する段階とを含むことができる。より具体的には、調整は、内側ハウジング２３０を回転させて、フランジ２３６を上り勾配ストップ２１６（図３及び４）と係合するよう移動させるなど、第１のストップ面を第２のストップ面に係合状態にする段階（ブロック３０２）から始めることができる。次いで、第１のストップ面は、第１の調整可能ストップを用いて第１の所望の移動量又は距離だけ第２のストップ面から離れて移動させる（ブロック３０４）ことができ、これにより所望の最大上り勾配ストップギャップを設定することができる。例えば、内側ハウジング２３０を回転させて、フランジ２３６を所望の移動量又は距離だけ上り勾配ストップ２１６から離れて移動させ、上り勾配ストップギャップ２３９（図３及び４）の最大値を設定することができる。第１の所望の移動量又は距離を達成するのに必要とされる内側ハウジング２３０の転回数又はその分数は、１つ又は複数のネジ２３４のピッチ、リード、及び／又は条数の少なくとも１つを用いて決定することができる。次いで、第３のストップ面は、外側ブッシュ２５０を回転させて下り勾配ストップ２５６をフランジ２３６と係合するよう移動させるなど、第２の調整可能ストップを用いて第４のストップ面と係合させることができる（ブロック３０６）。第２の調整可能ストップを用いて第３のストップ面を第２の所望の移動量又は距離だけ第４のストップ面から離れて移動させる（ブロック３０８）ことにより、所望の最大下り勾配ストップギャップを設定することができる。例えば、外側ブッシュ２５０を回転させて、下り勾配ストップ２５６を所望の距離だけフランジ２３６から離れて移動させることができる。第２の所望の移動量又は距離を達成するのに必要とされる外側ブッシュ２５０の転回数又はその分数は、１つ又は複数のネジ２５４のピッチ、リード、及び／又は条数の少なくとも１つを用いて決定することができる。
【００２１】
限られた数の実施形態のみに関して本発明を詳細に説明してきたが、本発明はこのような開示された実施形態に限定されないことは理解されたい。むしろ、本発明は、上記で説明されていない多くの変形、改造、置換、又は均等な構成を組み込むように修正することができるが、これらは、本発明の技術的思想及び範囲に相応する。加えて、本発明の種々の実施形態について説明してきたが、本発明の態様は記載された実施形態の一部のみを含むことができる点を理解されたい。従って、本発明は、上述の説明によって限定されるとみなすべきではなく、添付の請求項の範囲によってのみ限定される。
【００２２】
本明細書は、最良の形態を含む実施例を用いて本発明を開示し、更に、あらゆる当業者があらゆるデバイス又はシステムを実施及び利用すること並びにあらゆる包含の方法を実施することを含む本発明を実施することを可能にする。本発明の特許保護される範囲は、請求項によって定義され、当業者であれば想起される他の実施例を含むことができる。このような他の実施例は、請求項の文言と差違のない構造要素を有する場合、或いは、請求項の文言と僅かな差違を有する均等な構造要素を含む場合には、本発明の範囲内にあるものとする。
【符号の説明】
【００２３】
１００  典型的な従来技術のジャッキ
１０２  ハウジング
１０３  調整可能ブロック
１０４  ボア
１１０  機械式ストップ
１１１  外側ジャッキシリンダ
１１２  機械式ストップにおける軸方向ボア
１１３  チャンバ
１２０  内側シリンダ
１２１  下り勾配ストップギャップ
１２３  ナット
１２４  ストップギャップ
２００  ジャッキ
２０２  ハウジング
２０４  ボア
２１０  支持要素
２１１  外側シリンダ
２１２  軸方向ボア  ｏｆ  外側シリンダ
２１４  支持要素の軸方向ボアの雌ネジ付き部分
２１６  肩部又は上り勾配ストップ
２２０  内側シリンダ
２２２  内側シリンダのネジ付き部分
２３０  内側ブッシュ
２３２  内側ブッシュの軸方向ボア
２３４  雌ネジ
２３５  第１のストップ面
２３６  内側ブッシュのフランジ
２３７  第４のストップ面
２３８  内側ブッシュの端部
２３９  第１のストップギャップ
２３９  上り勾配ストップギャップ
２５０  外側ブッシュ
２５２  外側ブッシュの軸方向ボア
２５４  雄ネジ
２５６  下り勾配ストップフランジ
２５７  第３のストップ面
２５８  外側ブッシュの端部
２５９  第２のストップギャップ
２５９  下り勾配ストップギャップ
３００  ジャッキを調整する方法
３０２  第１のストップ面を第２のストップ面と係合状態にする
３０４  第１の調整可能ストップを用いて第１の所望の移動量又は距離だけ第２のストップ面から離れて移動させる
３０６  第２の調整可能ストップを用いて第３のストップ面を第４のストップ面と係合状態にする
３０８  第２の調整可能ストップを用いて第３のストップ面を第２の所望の移動量又は距離だけ第４のストップ面から離れて移動させる
【図１】
2014081076.tif 000003
【図２】
2014081076.tif 000004
【図３】
2014081076.tif 000005
【図４】
2014081076.tif 000006
【図５】
2014081076.tif 000007